(57)【要約】【課題】  メガネのフロント部両側のヨロイに取付けたツルが何時までもガタ付くことなく折畳み操作が出来るツル継手構造の提供。【解決手段】  ヨロイはその先端部に外側片１１と内側片１０を有した概略コ形とし、そして外側片１１と内側片１０には溝９ａ，９ｂを形成すると共に該溝９ａ，９ｂに四角形のリング８を嵌め、そしてツル２の基端部には概略コ形のツメ１２を形成し、上記リング８の縦部材を凹部１５に嵌めることでツメ１２をリング８に係止し、ツメ１２の外側片１３にヨロイ先端部７の内側片１０のバネ力を付勢する。【選択図】    図１
2013152259.tif 000002
【特許請求の範囲】
【請求項１】
メガネのフロント部両側に設けたヨロイに折畳み出来るようにツルを取付ける継手構造において、ヨロイはその先端部に外側片と内側片を有した概略コ形とし、そして外側片と内側片には溝を形成すると共に該溝に四角形のリングを嵌め、そしてツルの基端部には概略コ形のツメを形成し、上記リングの縦部材を凹部に嵌めることでツメをリングに係止し、ツメの外側片にヨロイ先端部の内側片のバネ力を付勢したことを特徴とするメガネフレームのツル継手構造。
【請求項２】
上記ヨロイ先端部の内側片に形成した溝に、ツメの外側片から底部にかけて形成した凸曲面を係合した請求項１記載のメガネフレームのツル継手構造。
【請求項３】
上記ヨロイ先端部の内側片には概略Ｖ形溝を形成し、そしてツメの形状を四角形とし、ツルを折畳んだ状態と開いた状態では四角形の角部がＶ形溝に係合するようにした請求項１記載のメガネフレームのツル継手構造。
【発明の詳細な説明】
【技術分野】
【０００１】
本発明はメガネのフロント部両サイドに取付けてツルが何時までもガタ付くことなく折畳み出来るように、ネジを用いないで連結した簡単なツル継手構造に関するものである。
【背景技術】
【０００２】
メガネにはフロント部の両側にツルを備えていて折畳むことが出来る。すなわち、メガネを顔に掛ける場合に両ツルを開き、顔から外した場合には両ツルは折畳んで閉じられる。ところで、メガネのツルを連結している蝶番は小さくなっていて、長いツルを支えるには大きな負担がかかる。図８は従来の一般的なメガネフレームを示す具体例である。
【０００３】
同図に示すように、蝶番（ハ）を備えたメガネフレームの場合、ツル（ロ）の開閉操作に伴って蝶番（ハ）の摺動面は摩耗し、ツル（ロ）はガタ付きを生じて掛けているメガネが位置ズレするなど安定性が損われる。また、蝶番（ハ）はツル（ロ）とフロント部（イ）のヨロイ（ニ）にロウ付けされる蝶片を有し、この両蝶片は軸ネジ（ホ）を介して揺動出来るように連結しているが、ツル（ロ）の開閉操作に伴って弛みを発生する。
【０００４】
特に近年のメガネフレームは軽くてバネ性に優れた材質が好まれる為に、この要求を満たす材質としてチタン材が多用されている。そして、蝶番（ハ）もチタン製とされる場合が多く、このチタン製蝶番（ハ）ではその摺動面の摩耗が特に著しい。そしてチタン製蝶番（ハ）では切削加工された摺動面が鋳物のように微細な凹凸面となっていて、すなわち滑らかな面でないことから、ツル（ロ）の折畳み操作に際してキシミを発生し、滑らかな折畳み操作が出来ない。これは滑らかな摺動が得られない為である。
【０００５】
ところで、蝶番（ハ）はスリムなメガネフレームを構成する為に、一般に小さくしているが、軸ネジ（ホ）を螺合する為のネジ穴を設けなくてはならないことから、その高さは２ｍｍ〜３ｍｍ程度と成っている。従って、ヨロイ（ニ）及びツル（ロ）の高さ寸法Ｈは蝶番寸法より僅かに大きく成ってしまう。すなわち、蝶番（ハ）を用いた継手構造とする場合には、ツル（ロ）の高さ寸法Ｈは蝶番寸法に規制され、上記寸法より小さくすることは出来ない。
【０００６】
一方、蝶番（ハ）を用いた継手構造とする場合、蝶番（ハ）を構成する各蝶片をヨロイ（ニ）及びツル（ル）に正確にロウ付けする作業、それに、各蝶片を組み合わせて軸ネジ（ホ）を螺合する作業は面倒である。しかし、軸ネジ（ホ）を用いないでツル（ロ）が折畳み出来るように構成した継手構造も色々知られている。
【０００７】
例えば、特開２０００−１６２５５３号に係る「ツル継手及びツル継手構造」は、蝶番を用いることなく、極めて簡単で製作も容易な、しかもツルのガタ付きを無くすことの出来るツル継手構造である。そこで、この継手はヨロイ先端のピンが嵌る穴を有し、またツルに設けた軸ピンが嵌る縦溝を内側から切り込んで形成し、そして、軸ピンを中心としてツルが回動出来るように横溝を有している。
しかし、このツル継手構造は複雑であると共に製作が面倒である。
【特許文献１】特開２０００−１６２５５３号に係る「ツル継手及びツル継手構造」
【発明の開示】
【発明が解決しようとする課題】
【０００８】
このように、ツルが折畳み出来るように連結するためには継手が必要であり、この継手には一般に軸ネジを用いている。ところが、軸ネジを備えた継手構造とした場合には上記のごとき問題がることから、本発明はこの軸ネジを用いないで、またバネ蝶番としての機能を備えたツル継手構造を提供する。
【課題を解決するための手段】
【０００９】
本発明に係るツル継手構造は、従来の蝶番を用いることなくツルが折畳み出来るように構成し、その為に軸ネジは使用しない。そこで、フロント部の両側に設けたヨロイは先端にて折返し、ヨロイ先端部は概略コ形とし、該ヨロイ先端部にはリングが嵌っている。そして、ツルの基端部には概略コ形のカギが形成され、このコ形カギはヨロイ先端部に嵌ったリングに係止して連結している。
【００１０】
ところで、上記ヨロイ先端部には溝が形成され、リングはこの溝に嵌って位置決めされている。ヨロイ先端部はリングが嵌ることによって撓み変形し、そしてツル基端部に形成したコ形カギはリングに係止すると共にヨロイ先端部の内側片によってバネ力が付勢されている。
【発明の効果】
【００１１】
本発明のツル継手構造では軸ネジを備えた蝶番を用いておらず、その為に製作並びに組み立てが簡単である。すなわち、概略コ形をしたヨロイ先端部は曲げ加工され、同じく概略コ形のツメを備えたツル基端部の形状も曲げ加工することが出来る。そして、リングは一定断面をしたチューブ（管材）を輪切りして製作することが可能である。又は曲げ加工して切口をロウ付けしてもよい。
【００１２】
そして、ツル基端部に形成したツメはヨロイ先端部に嵌めたリングに係止して折畳まれると共に、概略コ形をしたヨロイ先端部の内側片のバネ力がツメに付勢し、その為にツルはガタ付くことなく安定した折畳み操作が行われる。一方、開いた状態のツルを外方向へ僅かに押し開くことも出来、この場合も、ヨロイ先端部の内側片のバネ力によって押し戻される為に、バネ蝶番としての機能を備え、顔に着用したメガネは安定する。一方、軸ネジを使用しない継手構造である為に、継手部の高さ寸法を小さく出来、スリムなメガネフレームを構成できる。
【図面の簡単な説明】
【００１３】
【図１】本発明のツル継手構造を備えたメガネフレームの平面図。
【図２】本発明のツル継手構造を備えたメガネフレームの正面図と側面図。
【図３】概略コ形をしたヨロイ先端部の形状。
【図４】概略コ形をしたツル基端部の形状。
【図５】ツル継手構造を示す斜視図。
【図６】ツルの折畳み動作を示すツル継手構造。
【図７】ツルの折畳み動作を示すツル継手構造。
【図８】蝶番を備えた従来のメガネフレーム。
【発明を実施するための形態】
【００１４】
図１、図２は本発明に係るツル継手構造を備えたメガネフレームを示す実施例である。同図の１はフロント部、２はツルを表し、該フロント部１はフロントリム部３，３を有し、両フロントリム部３，３は連結部４にて繋がれている。そして、フロント部１の両側には概略Ｌ形をしたヨロイ部５，５を設けている。ここで、両フロントリム部３，３、連結部４、それにヨロイ部５，５は１枚の金属板を所定形状に打ち抜き又は切削し、まげ加工することで作られるが、各部品（フロントリム部、連結部、ヨロイ部）をロウ付けして組立てたフロント部１とすることも可能である。そして、同図に示すメガネフレームのフロント部１は、レンズが嵌るリム６，６をフロントリム部３，３の背後に取付けている。
【００１５】
ところで、上記ツル２，２はフロント部１の両側に設けているヨロイ部５，５の先端部に取付けられて、折畳むことが出来るように連結している。ヨロイ先端部７はフロント部１から延びて折り返し、その形状は概略コ形をしている。そして、該ヨロイ先端部７には四角形のリング８が嵌り、ヨロイ先端部７を圧縮状態で拘束している。
【００１６】
図３はヨロイ先端部７を示す拡大図であり、両側には溝９ａ，９ｂが形成され、四角形のリング８はこの溝９ａ，９ｂに嵌って位置決めされる。この場合、ヨロイ先端部７の内側片１０は外側片１１の方向へ撓み変形することが出来、リング８が嵌る場合には上記内側片１０は撓んで圧縮された状態となる。
【００１７】
図４はツル２の基端部に形成したツメ１２を示す拡大図であり、該ツメ１２はその形状を概略コ形とし、外側片１３から底部にかけて滑らかな凸曲面１４を形成し、凸曲面１４と対向した位置には凹部１５を形成している。そこで、ツル２が上記ヨロイ部５に取付けられる場合には、図１に示しているようにツメ１２の外側片１３から底部にかけて形成した凸曲面１４がヨロイ先端部７の内側片１０に設けた溝９ｂに係合して位置決めされ、この状態でリング８に係止している。
【００１８】
図５はヨロイ先端部７に嵌ったリング８にツメ１２が係止している状態の斜視図である。ヨロイ先端部７には内側片１０を撓ませてリング８が嵌り、このリング８にツメ１２が係止する。ツメ１２の外側片１３から底部にかけて形成した凸曲面１４はヨロイ先端部７の内側片１０に形成した溝９ｂに係合して位置決めされ、該溝９ｂを軸受けとして、しかも凹部１５に嵌ったリング８の縦部材を軸としてツメ１２は回転することが出来る。しかも、リング８に係止したツメ１２の外側片１３にはヨロイ先端部７の内側片１０のバネ力が作用してリング８と内側片１０との間に挟まれ、ガタ付くことなく安定した連結構造となり、スムーズな折畳み操作を行うことが出来る。
【００１９】
図６はツル２が折畳まれる場合のツメ１２の回転状態を示している。ツメ１２は四角形リング８の縦部材に係止し、外側片１３はヨロイ先端部７の内側片１０とリング縦部材に挟まれて拘束されている。また、リング８の縦部材はツメ１２の凹部１５に嵌り、ツル２を折畳む場合には、ツメ１２はリング８の縦部材を軸として、しかも凸曲面１４は内側片１０の溝９ｂを軸受けとして回転することが出来る。
【００２０】
ここで、ヨロイ先端部７及びツメ１２は金属板を曲げ成形して製作したものであり、リング８の縦部材に係止したツメ１２の凸曲面１４が溝９ｂに係合することでバネ力が付勢した面接触状態となり、ツル２は安定する。ツル２は基端部に設けたツメ１２をリング８に係止することでヨロイ先端部７と連結することが出来る。従来のように蝶番を用いた連結とは異なり、リング８にワンタッチで係止することで取付けることが可能である。
【００２１】
ところで、図６はツル２の折畳み操作に伴うツメ１２の回転動作を示しているが、実線で示しているツル２を外方向へ押し開くことが出来る。図６の実線はツル２が開いている状態であり、この位置から外側へ僅かに押し開くならば、ツメ１２の外側片１３の先端はヨロイ先端部７の内側片１０を押圧して撓み変形させる。すなわち、内側片１０は外側片１１の方向へ撓み変形し、外側片１３の先端にはバネ力が付勢され、ツル２を実線で示す元の位置へ押戻すバネ力が作用する。このように、従来のバネ蝶番としての機能を備えることが出来、顔に掛けたメガネは安定する。
【００２２】
図７はツル継手構造を示す別形態であり、ツル２の基端部に設けたツメ１２の形状を角型としている。同じくヨロイ先端部７の内側片１０に形成した溝９ｂの形状も滑らかな凹溝ではなく概略Ｖ形としている。従って、ツル２を開いた場合、及びツル２が折畳まれた場合の位置決めが出来る。すなわち、ツメ１２は概略四角形を成し、ツル２を開く場合には角部１６ａが溝９ｂに係合し、ツル２を折畳む場合には角部１６ｂが溝９ｂに係合することが出来る。
【００２３】
このようにツメ１２の形状が角型に変わっただけで、その機能は図６で説明した場合と同じであり、ツメ１２の外側片１３はヨロイ先端部７の内側片１０とリング８によって挟み込まれている。従って、ツル２はガタ付くことなく安定した折畳み操作を行うことが出来る。
【符号の説明】
【００２４】
１  フロント部
２  ツル
３  フロントリム部
４  連結部
５  ヨロイ部
６  リム
７  ヨロイ先端部
８  リング
９  溝
10  内側片
11  外側片
12  ツメ
13  外側片
14  凸曲面
15  凹部
16  角部
【図１】
2013152259.tif 000003
【図２】
2013152259.tif 000004
【図３】
2013152259.tif 000005
【図４】
2013152259.tif 000006
【図５】
2013152259.tif 000007
【図６】
2013152259.tif 000008
【図７】
2013152259.tif 000009
【図８】
2013152259.tif 000010